(57)【要約】【課題】  取付ビスなどの余分の部品を用いずにディスクローダを外部筐体に取り付ける。【解決手段】  外部筐体１００のボトムケース１１０の底板１１２にディスクローダのフレーム１をビス止めすることに代えて、外部筐体１００に具備させた第１挟持手段５と第２挟持手段７とにより位置決めして取り付ける。第１挟持手段５が、ボトムケース１１０の底板１１２と一体の立上り片５１と押え片５２とを備える。第２挟持手段７がボトムケス１１０側の係合片７１とフロントパネル１３０側の係合片７２とを備える。係合片７１は、組立時にディスクローダＡを後方へスライドさせて押し込んだときにそのフレーム１の後端を受け止めてディスクローダＡを位置決めする機能を備える。【選択図】        図１
2006268986.tif 000002
【特許請求の範囲】
【請求項１】
ボトムケースとトップケースとフロントパネルとに分割されてボトムケース及びトップケースはその前面が開放されている外部筐体の上記ボトムケースの底板に、ディスクトレイなどのディスクローディング要素を備えるディスクローダの略矩形のフレームがその周囲複数箇所でビス止めされているディスクローダの取付構造において、
上記ボトムケースの底板に上記フレームをビス止めすることに代えて、上記フレームを、上記外部筐体に具備させた第１挟持手段によって左右方向及び上下方向で挟持させ、かつ、上記外部筐体に具備させた第２挟持手段によって前後方向で挟持させてなり、
上記第１挟持手段が、上記ボトムケースの底板に一体に設けられて上記フレームを左右両側から挟む一対の立上り片と、それらの立上り片のそれぞれに個別に連設されて上記フレームを上記底板との間に挾み込む押え片とを備え、かつ、上記立上り片と上記押え片と上記底板とによって形成される溝形部に、上記フレームに設けられた前後方向に延びる取付片が前後方向スライド自在に嵌合され、
上記第２挟持手段が、上記底板と上記トップケース又は上記フロントパネルとに各別に設けられて上記フレームを前後方向で挟む前後一対の係合片を備えていて、上記底板側の係合片は、上記溝形部に上記取付片を嵌合させて上記ディスクローダを後方へスライドさせて押し込んだときに上記フレームの後端を受け止めてそのディスクローダを位置決めする機能を備えていることを特徴とするディスクローダの取付構造。
【請求項２】
ボトムケースとトップケースとフロントパネルとに分割されてボトムケース及びトップケースはその前面が開放されている外部筐体の上記ボトムケースの底板に、ディスクトレイなどのディスクローディング要素を備えるディスクローダの略矩形のフレームがその周囲複数箇所でビス止めされているディスクローダの取付構造において、
上記ボトムケースの底板に上記フレームをビス止めすることに代えて、上記フレームを、上記外部筐体に具備させた第１挟持手段によって左右方向及び上下方向で挟持させ、かつ、上記外部筐体に具備させた第２挟持手段によって前後方向で挟持させてあり、上記第１挟持手段が上記フレームの前後方向でのスライドを許容する機能を備えていることを特徴とするディスクローダの取付構造。
【請求項３】
上記第１挟持手段が、上記ボトムケースの底板に設けられて上記フレームを左右両側から挟む一対の立上り片と、上記ボトムケースの底板に設けられて上記フレームをその底板との間に挾み込む押え片とを備えている請求項２に記載したディスクローダの取付構造。
【請求項４】
上記押え片が一対の上記立上り片のそれぞれに個別に設けられている請求項３に記載したディスクローダの取付構造。
【請求項５】
上記第２挟持手段が、上記ボトムケースの底板と上記トップケース又は上記フロントパネルとに各別に設けられて上記フレームを前後方向で挟む前後一対の係合片を備えている請求項２ないし請求項４のいずれか１項に記載したディスクローダの取付構造。
【請求項６】
上記第１挟持手段の立上り片及びその立上り片に設けられた押え片と上記ボトムケースの底板とによって形成される溝形部に、上記フレームに設けられた前後方向に延びる取付片が前後方向スライド自在に嵌合されている請求項４又は請求項５のいずれか１項に記載したディスクローダの取付構造。
【発明の詳細な説明】
【技術分野】
【０００１】
本発明は、ディスクローダの取付構造、詳しくは、ＤＶＤプレーヤなどのディスクローダを外部筐体に取り付けることに採用されるディスクローダの取付構造に関する。
【背景技術】
【０００２】
図５に概略斜視図で例示したように、ＤＶＤプレーヤなどのディスクローダＡは、シャーシとしての役目を果たすフレーム１に、前後方向に出退スライドしてディスク（不図示）の搬入出を行うためのディスクトレイ２のほか、ディスクをクランプして回転させるためのクランパー３、回転中のディスクの記録面を走査する光ピックアップ（不図示）などのディスクの処理に必要な要素（ディスクローディング要素）を搭載している。
【０００３】
この種のディスクローダを外部筐体の内部に収容させて据置き型とする場合には、そのディスクローダを外部筐体に固定する必要があり、その外部筐体は一般的にボトムケースとトップケースとフロントパネルとを合わせることによって箱形に形作られていて、従来は、ディスクローダをボトムケースの底板にビス止めした後、そのボトムケースにトップケースを取り付けたり、フロントパネルを取り付けたりするということが行われていた。そして、そのようなビス止めを行うことを可能にするために、従来は、図５に示したようにフレーム１の左右に２つずつ取付片１１，１２を設けてあり、ビス止め時には、それらの取付片１１，１２に挿通させた４本の取付ビスをボトムケースの底板のねじ孔にねじ込んで締め付けるということが行われていた。
【０００４】
一方、従来より、図５で説明したディスクローダと同様に、周囲にビス止め用のスタンドを設けたディスクローダが知られていた（たとえば、特許文献１参照）。また、ディスクローダの基本的な構成は周知であり、ディスクトレイを前後にスライドさせるための機構などについては様々な研究が行われている（たとえば、特許文献２〜４参照）。
【特許文献１】特開２００２−１０００９４号公報（図４３）
【特許文献２】特開平８−２２１８６４号公報
【特許文献３】特開平７−１５３１６３号公報
【特許文献４】特開昭６３−２４４４４２号公報
【発明の開示】
【発明が解決しようとする課題】
【０００５】
しかしながら、ディスクローダを外部筐体のボトムケースにビス止めして固定することは、取付ビスが余分に必要になるだけでなく、取付ビスを挿通させたりねじ孔にねじ込んだりすることが煩わしい作業になるために、部品点数の増加や作業工数の増加などによってコスト高になるという問題があった。この問題は、ビス止めを前提としたディスクローダを示しているに過ぎない特許文献１で提案されている技術を適用したり、ディスクローダの周知構成やディスクトレイのスライド機構を示しているに過ぎない特許文献２〜４などで提案されている技術を適用したりすることによっては解決することができない。
【０００６】
本発明は以上の問題に鑑みてなされたものであり、ビス止めによるディスクローダの取付けに代えて、取付ビスなどの余分な部品を用いずに、しかも、取付ビスをねじ込んだりするような煩わしい作業を行わずに、ディスクローダを外部筐体の定位置に固定することのできるディスクローダの取付構造を提供することを目的とする。
【課題を解決するための手段】
【０００７】
本発明に係るディスクローダの取付構造は、ボトムケースとトップケースとフロントパネルとに分割されてボトムケース及びトップケースはその前面が開放されている外部筐体の上記ボトムケースの底板に、ディスクトレイなどのディスクローディング要素を備えるディスクローダの略矩形のフレームがその周囲複数箇所でビス止めされているディスクローダの取付構造において、上記ボトムケースの底板に上記フレームをビス止めすることに代えて、上記フレームを、上記外部筐体に具備させた第１挟持手段によって左右方向及び上下方向で挟持させ、かつ、上記外部筐体に具備させた第２挟持手段によって前後方向で挟持させてあり、上記第１挟持手段が上記フレームの前後方向でのスライドを許容する機能を備えている、というものである。
【０００８】
この構成であれば、第１挟持手段と第２挟持手段とによってディスクローダが外部筐体に互いに直交する３方向で位置決めされて固定される。そのため、取付ビスを余分に用いる必要がなくなり、取付ビスのねじ込み作業が不要になって、それだけ取付作業性が改善され、量産性も改善される。
【０００９】
本発明では、上記第１挟持手段が、上記ボトムケースの底板に設けられて上記フレームを左右両側から挟む一対の立上り片と、上記ボトムケースの底板に設けられて上記フレームをその底板との間に挾み込む押え片とを備えていることが望ましく、また、上記押え片が一対の上記立上り片のそれぞれに個別に設けられていることが望ましい。この構成を採用するに当り、ボトムケースが板金製である場合には、立上り片や押え片をボトムケースの底板の一部を切り起こして形成することが可能であり、ボトムケースが樹脂成形体である場合には、ボトムケースを成形するときに併せて立上り片や押え片を一体成形することが可能であるという利点がある。そのため、第１挟持手段として取付ビスなどの別部品を用いることが不要になって、それだけコストダウンを図りやすくなり、同時に、取付作業性が改善され、量産性も改善される。
【００１０】
本発明では、上記第２挟持手段が、上記ボトムケースの底板と上記トップケース又は上記フロントパネルとに各別に設けられて上記フレームを前後方向で挟む前後一対の係合片を備えていることが望ましい。これによれば、上記した第１挟持手段によって左右方向及び上下方向でディスクローダが位置決めして固定されているボトムケースに、トップケースやフロントパネルを取り付けることによってディスクローダが前後方向でも位置決めして固定されるようになる。したがって、第１挟持手段や第２挟持手段として取付ビスなどの別部品を用いることが不要になって、それだけコストダウンを図りやすくなり、同時に、取付作業性が改善され、量産性も改善される。
【００１１】
本発明では、上記第１挟持手段の立上り片及びその立上り片に設けられた押え片と上記ボトムケースの底板とによって形成される溝形部に、上記フレームに設けられた前後方向に延びる取付片が前後方向スライド自在に嵌合されていることが望ましい。これによれば、ディスクローダをボトムケースに取り付ける際に、ディスクローダのフレームを溝形部に嵌合して押し込むという操作を行うだけでディスクローダをボトムケースに位置決めすることが可能である。そのため、取付作業を容易にかつ確実に行うことができるようになり、取付ビスでビス止めする場合に比べると量産性が格段に改善される。
【００１２】
本発明に係るディスクローダの取付構造は、ボトムケースとトップケースとフロントパネルとに分割されてボトムケース及びトップケースはその前面が開放されている外部筐体の上記ボトムケースの底板に、ディスクトレイなどのディスクローディング要素を備えるディスクローダの略矩形のフレームがその周囲複数箇所でビス止めされているディスクローダの取付構造において、上記ボトムケースの底板に上記フレームをビス止めすることに代えて、上記フレームを、上記外部筐体に具備させた第１挟持手段によって左右方向及び上下方向で挟持させ、かつ、上記外部筐体に具備させた第２挟持手段によって前後方向で挟持させてなり、上記第１挟持手段が、上記ボトムケースの底板に一体に設けられて上記フレームを左右両側から挟む一対の立上り片と、それらの立上り片のそれぞれに個別に連設されて上記フレームを上記底板との間に挾み込む押え片とを備え、かつ、上記立上り片と上記押え片と上記底板とによって形成される溝形部に、上記フレームに設けられた前後方向に延びる取付片が前後方向スライド自在に嵌合され、上記第２挟持手段が、上記底板と上記トップケース又は上記フロントパネルとに各別に設けられて上記フレームを前後方向で挟む前後一対の係合片を備えていて、上記底板側の係合片は、上記溝形部に上記取付片を嵌合させて上記ディスクローダを後方へスライドさせて押し込んだときに上記フレームの後端を受け止めてそのディスクローダを位置決めする機能を備えている、という構成を採用することによっていっそう具体化される。この発明の作用などについては後述する実施形態を参照して詳細に説明する。
【発明の効果】
【００１３】
以上のように、本発明によれば、ディスクローダをビス止めによって取り付けることに代えて、取付ビスをねじ込んだりするような煩わしい作業を行うことが要求される取付ビスなどの余分な部品を用いずに、ディスクローダを外部筐体の定位置に固定することのできる対策を講じたので、取付ビスなどの余分な部品が不要になり、併せて、取付ビスのねじ込み作業のような煩わしい作業が不要になって取付作業性が大幅に改善され、コストダウンにも役立つ。そのため、工場の組立ラインでの量産性を改善することが可能になるだけでなく、ディスクローダを外部筐体に収容させてなるＤＶＤプレーヤなどを安価に提供することが可能になる。
【発明を実施するための最良の形態】
【００１４】
図１は本発明の実施形態に係るディスクローダの取付構造を一部省略して示した概略平面図、図２は同取付構造の要部の概略正面図、図３は同取付構造の要部の側面図、図４は取付手順を示した説明図である。
【００１５】
図１に示したディスクローダＡは、略矩形のフレーム１に、前後方向（矢印ａ）に出退スライドしてディスク（不図示）の搬入出を行うためのディスクトレイ２のほか、ディスクをクランプして回転させるためのクランパー３、回転中のディスクの記録面を走査する光ピックアップ４などのディスクの処理に必要な要素（ディスクローディング要素）を搭載している。また、フレーム１の左右両側には、前後方向に延びる取付片１２，１２が樹脂で一体成形されている。そして、このディスクローダＡが、フレーム１の上記取付片１２，１２を介し、後述する第１挟持手段５及び第２挟持手段７によって外部筐体１００に取付ビスなどの余分な部品を用いずに取り付けられている。図３に説明的に示したように、外部筐体１００は、ボトムケース１１０とトップケース１２０とフロントパネル１３０とを合わせることによって偏平な箱形に形成されていて、ボトムケース１１０は前面と上面が開放され、トップケース１２０は前面と下面が開放されている。
【００１６】
図２に説明的に示したように、第１挟持手段５は、ボトムケース１１０の底板１１２に設けられていて、その底板１１２上に載架されているディスクローダＡを左右両側から挟む一対の立上り片５１，５１と、それらの各立上り片５１，５１のそれぞれに個別に連設された横向きの押え片５２，５２とを備えている。そして、立上り片５１と押え片５２とボトムケース１１０の底板１１２とによって形成される横向きの溝形部５３に、ディスクローダＡのフレーム１に設けられている上記取付片１２が嵌合されている。この実施形態では、上記構成の第１挟持手段５が、ボトムケース１１０の底板１１２の左右方向中央部で前後２箇所に振り分けて設けられており、前後の各第１挟持手段５，５の左右の立上り片５１，５１が左右の上記取付片１２，１２の各外端面に当接してディスクローダＡを左右方向で位置決めしていると共に、前後の各第１挟持手段５，５の左右の押え片５２，５２とボトムケース１１０の底板１１２との共働により左右の上記取付片１２，１２を挟み込んでディスクローダＡを上下方向で位置決めしている。このように第１挟持手段５は、ディスクローダＡを左右方向及び上下方向の互いに直交する２方向で位置決めしているだけであるので、第１挟持手段５は、ディスクローダＡが前後方向にスライドすることを許容する機能を有している。
【００１７】
また、図３に説明的に示したように、第２挟持手段７は、ボトムケース１１０の底板１１２とフロントケース１３０とに設けられた前後一対の係合片７１，７２を備えていて、図例ではフロントケース１３０側の係合片７２が下側の突出片７２ａと上側の垂下片７２ｂとに分割されている。そして、前後一対の係合片７１，７２がディスクローダＡのフレーム１を前後方向で挟んでそのディスクローダＡを前後方向で位置決めしている。したがって、この第２挟持手段７の位置決め機能によって、上記した第１挟持手段５によって許容されているディスクローダＡの前後方向にスライド機能が制限され、第１及び第２の挟持手段５，７によってディスクローダＡが左右方向、上下方向及び前後方向の互いに直交する３方向で位置決めされて固定される。この実施形態では、上記第２挟持手段７が、図１のようにボトムケース１１０の底板１１２の左右方向中央部で左右２箇所に振り分けて設けることによりディスクローダＡの左右の各側部を前後方向で挟持する構成を採用したことによって、ディスクローダＡが前後方向で確実に位置決めされている。
【００１８】
この実施形態では、第１挟持手段５でディスクローダＡの前後２箇所を挟持してあるけれども、この点は、ディスクローダＡを前後方向の１箇所で挟持する構成としても、あるいは、前後方向の２箇所よりも多い箇所で挟持する構成としても、さらには、第１挟持手段５の立上り片５１や押え片５２の前後幅を拡げてそれらがフレーム１の取付片１２の略全長部分を挟んだり押さえたりする構成とすることも可能である。第２挟持手段７についても同様に、ディスクローダＡを左右方向の１箇所で挟持する構成としても、あるいは、左右方向の２箇所よりも多い箇所で挟持する構成としてもよい。
【００１９】
次に、図４に説明的に示した取付手順を参照してディスクローダＡの好ましい取付手順を説明する。
【００２０】
トップケース１２０やフロントケース１３０（図３参照）を取り付ける前に、図４のようにボトムケース１１０の前面の開放口１１２にディスクローダ１の後端部を臨ませた後、そのディスクローダ１のフレーム１の左右の各取付片１２を図２で説明した溝形部５３に嵌合させ、その後、ディスクローダＡを矢印ｂのように後方へ押し込んでその後端１３をボトムケース１１０側の係合片７１に突き当てることにより、係合片７１にディスクローダＡを受け止めさせる。その後、トップケース１２０やフロントケース１３０をボトムケース１１０に合わせて外部筐体１００を組み立てると、上記したようにディスクローダＡが外部筐体１００内で第１挟持手段５及び第２挟持手段７による位置決め作用で定位置に取り付けられる。
【００２１】
この実施形態において、ボトムケース１１０は板金製とすることも樹脂製とすることも可能である。そして、ボトムケース１１０を板金製とする場合には、第１挟持手段５の立上り片５１や押え片５２をボトムケース１１０の底板１１２の一部を切り起こして一体に形成することが可能であり、ボトムケース１１０が樹脂製である場合には、ボトムケース１１０を成形するときに併せて立上り片５１や押え片５２を一体成形することが可能である。第２挟持手段７のボトムケース１１０側の係合片７１やフロントパネル１３０側の係合片７２についても同様のことが云える。そのため、部品点数を増加させずに取付性に優れたディスクローダＡの取付構造が得られ、ＤＶＤプレーヤなどの量産性も改善される。      
【００２２】
この実施形態では、第２挟持手段７の前側の係合片７２をフロントパネル１３０に設けてあるけれども、この点は、その係合片をトップケース１２０に設けることも可能である。また、ボトムケース１１０側の係合片７１にゴム板や布といった軟弾性を備えた部材を貼付けておいてもよく、そのようにしておくと、ディスクローダＡが第２挟持手段７によって弾圧挟持されてそのがたつきが防止されるという利点がある。
【図面の簡単な説明】
【００２３】
【図１】本発明の実施形態に係るディスクローダの取付構造を一部省略して示した概略平面図である。
【図２】同取付構造の要部の概略正面図である。
【図３】同取付構造の要部の側面図である。
【図４】取付手順を示した説明図である。
【図５】ディスクローダの基本的構成を示した概略斜視図である。
【符号の説明】
【００２４】
Ａ  ディスクローダ
１  フレーム
２  ディスクトレイ
５  第１挟持手段
７  第２挟持手段
１２  取付片
５１  立上り片
５２  押え片
５３  溝形部
７１，７２  係合片
１００  外部筐体
１１０  ボトムケース
１１２  ボトムケースの底板
１２０  トップケース
１３０  フロントパネル
【図１】
2006268986.tif 000003
【図２】
2006268986.tif 000004
【図３】
2006268986.tif 000005
【図４】
2006268986.tif 000006
【図５】
2006268986.tif 000007